(57)【要約】      （修正有）【課題】パーティ−ション等の錠前に好適で、レバーハンドルの突出をなくしたドア錠を提供する。【解決手段】一端を回動可能に支持したドア４と、ドア４の内外部に配置したプレーンハンドル８の操作に連係してドア４から出没可能に設けたラッチ２６と、を備えたドア錠であり、プレーンハンドル８の回動変位を介して係止板５９，６０を係合爪３６，３７に係合し、ラッチ２６を揺動または回動してドア４から出没可能に設ける。【選択図】図１３
2017071906.tif 000002
【特許請求の範囲】
【請求項１】
一端を回動可能に支持したドアと、該ドアの内外部に配置したレバーハンドルと、該レバ−ハンドルの操作に連係してドアから出没可能に設けたラッチと、を備えたドア錠において、基端部を互いに異方向へ回動可能に付勢し、他端部をドアの端部に係合可能に設けた平板状の一対のプレーンハンドルと、該プレーンハンドルの内側に揺動または回動可能に設けたスィングラッチと、該ラッチと同動可能に設けた一対の係合爪と、前記プレーンハンドルの内側に前記係合爪と係合可能に設けた係止板と、を備え、前記一のプレーンハンドルの回動変位を介して前記一の係止板を係合爪に係合し、前記スィングラッチを揺動または回動してドアから出没可能に設けたことを特徴とするドア錠。
【請求項２】
前記一対のプレーンハンドルをドアの側端部に配置した請求項１記載のドア錠。
【請求項３】
前記一対のプレーンハンドルの上下寸法をドアの上下寸法より小形に形成し、該プレーンハンドルをドアの中間位置に配置した請求項２記載のドア錠。
【請求項４】
前記一対のプレーンハンドルの上下寸法をドアの上下寸法と略同一に形成し、該プレーンハンドルをドアの側端部の上下全域に配置した請求項２記載のドア錠。
【請求項５】
前記ドアの側端部に端部支柱を垂直に配置し、該端部支柱の両側面に沿って一または複数の蝶番を配置し、該一または複数の蝶番に一対のプレーンハンドルの基端部を回動可能に連結した請求項４記載のドア錠。
【請求項６】
前記端部支柱の両側の上下全域に亘ってビード状の枢軸部を突設するとともに、一対のプレーンハンドルの基端部の内側の上下全域に亘って、前記枢軸部と係合可能な凹溝状の一対の枢支溝を形成した請求項５記載のドア錠。
【請求項７】
前記端部支柱と一対のプレーンハンドルはアルミニウムの押し出しまたは引き出し成形品とし、前記枢軸部と枢支溝を端部支柱またはプレーンハンドルと一体成形した請求項６記載のドア錠。
【請求項８】
前記一対のプレーンハンドルの外面をドアの内外面と同一面上に配置した請求項１記載のドア錠。
【請求項９】
前記係止板を三角形に形成し、該係止板を対応するプレーンハンドルの回動変位に応じて、その斜辺部を前記係合爪に係合可能に配置した請求項１記載のドア錠。
【請求項１０】
前記二つの係止板の上下位置を相違して配置し、各係止板を各係合爪に係合可能に配置した請求項９記載のドア錠。
【請求項１１】
前記プレーンハンドルの何れか一の内側回動変位時、前記ラッチをドアの内側に後退して解錠可能にした請求項１記載のドア錠。
【請求項１２】
前記スィングラッチの解錠時、その係合端面をドアの側端面と同一面または同一面内に後退し、開扉可能にした請求項１１記載のドア錠。
【請求項１３】
前記ドアの閉扉時、前記ラッチをドアの外側に突出して施錠可能にした請求項１記載のドア錠。
【請求項１４】
前記ドアの閉扉時、スィングラッチの係合端部をその対向位置に設けた受座に突入可能にした請求項１３記載のドア錠。
【請求項１５】
前記スィングラッチの係合端部にマグネットを設けるとともに、前記受座の内側に吸着板を設け、前記ドアの閉扉時、前記マグネットを前記吸着板に向かって吸引移動可能にした請求項１４記載のドア錠。
【請求項１６】
前記プレーンハンドルの何れか一を内側へ回動変位時、該プレーンハンドルの外側に臨ませてドアの内側に凹状スペ−スを形成し、該凹状スペ−スに臨むドアの端部に手指を掛け止め可能にした請求項１記載のドア錠。
【発明の詳細な説明】
【技術分野】
【０００１】
本発明は、パーティーション等の錠前に好適で、レバーハンドルの構成を簡潔かつコンパクト化して容易かつ安価に製作できるとともに、レバーハンドルの突出をなくしてレバーハンドルないしドアの体裁を簡潔にし、また室内スペースや通路スペースを有効かつ安全に使用でき、しかもドアハンドルの操作位置を任意かつ広範囲に得られて操作者の身長の大小や操作位置の高低を許容し、子供や大人、車椅子使用の身障者等の利用に応じられるドア錠に関する。
【背景技術】
【０００２】
部屋の内外方向へ回動するドア錠として、ドアの内部にラッチボルトの作動を制御する錠前を埋設し、該錠前にレバーハンドルと同動する角芯棒を係合し、前記レバーハンドルをドアの内外面に回動可能に突出したものがある（例えば、特許文献１参照）。
【０００３】
しかし、前記ドア錠のレバーハンドルは構成が複雑で製作が難しく、またドアの内外面に突出しているため、室内スペースや通路スペースを損なうとともに、レバーハンドルに人が接触して怪我をする問題があり、しかもレバーハンドルの操作部がドアの内外面の定位置に配置されているため、レバーハンドルの操作位置が制約されるという問題があった
【０００４】
このような問題を解決するものとして、ドアの内外に棒状のハンドル本体を上下方向に配置し、該ハンドル本体をプッシュまたはプル操作して揺動プレートを揺動し、これに押金を同動させてドアの内部に設けた操作部を変位させ、ラッチをプッシュプル錠内に後退させて開扉するようにしたものがある（例えば、特許文献２参照）。
【０００５】
前記プッシュプル錠は、ハンドル本体をドアの内外の上下方向に配置して操作範囲を広く確保しているため、操作位置の制約から解消されるが、ハンドル本体がドアの内外に突出しているため、構成が複雑で製作が難しく、また室内スペースや通路スペースを損ない、しかも突出したレバーハンドルに人が接触して怪我をする問題があった。
【０００６】
ところで、出願人は、一組の引戸の相対する縦枠の内部にラッチロックとラッチキャッチを配置し、それらの上端部に回動カムを突設したカム軸を組み付け、該カム軸にラッチロックまたはラッチキャッチを引戸の内外方向に回動可能に支持し、前記カム軸にレバーハンドルに連係する角芯棒を装着し、レバーハンドルの回動操作によってラッチロックまたはラッチキャッチを引戸の内外方向へ回動し、ラッチロックの端部を他方の引戸に形成した開口部に係入し、その係入姿勢をラッチロックとラッチキャッチの端部に設けたマグネットによって吸着保持し、引戸を施解錠するようにした引戸錠を既に提案している（例えば、特許文献３参照）。
【０００７】
しかし、前記引戸錠は、その使用が引戸や、レバーハンドルの回動操作がドアの内外面と平行な垂直面に限られるため、使用範囲に制約があり、しかも前記レバーハンドルはドアの内外面に突出しているため、室内スペースや通路スペースを損なう上に人に接触して怪我をさせてしまう問題がある。
【先行技術文献】
【特許文献】
【０００８】
【特許文献１】特開平９−２０３２５３号公報
【特許文献２】特開２００３−１７６６４６号公報
【特許文献３】特許第５６５９１９４号公報
【発明の概要】
【発明が解決しようとする課題】
【０００９】
本発明はこのような問題を解決し、パーティ−ション等の錠前に好適で、レバーハンドルの構成を簡潔かつコンパクト化して容易かつ安価に製作できるとともに、レバーハンドルの突出をなくしてレバーハンドルないしドアの体裁を簡潔にし、また室内スペースや通路スペースを有効かつ安全に使用でき、しかもドアハンドルの操作位置を任意かつ広範囲に得られて操作者の身長の大小や操作位置の高低を許容し、子供や大人、車椅子使用の身障者等の利用に応じられるドア錠を提供することを目的とする。
【課題を解決するための手段】
【００１０】
請求項１の発明は、一端を回動可能に支持したドアと、該ドアの内外部に配置したレバーハンドルと、該レバーハンドルの操作に連係してドアから出没可能に設けたラッチと、を備えたドア錠において、基端部を互いに異方向へ回動可能に付勢し、他端部をドアの端部に係合可能に設けた平板状の一対のプレーンハンドルと、該プレーンハンドルの内側に揺動または回動可能に設けたスィングラッチと、該ラッチと同動可能に設けた一対の係合爪と、前記プレーンハンドルの内側に前記係合爪と係合可能に設けた係止板と、を備え、前記一のプレーンハンドルの回動変位を介して前記一の係止板を係合爪に係合し、前記スィングラッチを揺動または回動してドアから出没可能に設け、従来のレバーハンドルに比べて構成を容易かつコンパクトにして安価な製作を実現するとともに、一のプレーンハンドルの回動操作によって、ドアの施解錠を簡便に行なえるようにしている。
【００１１】
請求項２の発明は、一対のプレーンハンドルをドアの側端部に配置し、既設のドアと同様な外観を維持するようにしている。
請求項３の発明は、一対のプレーンハンドルの上下寸法をドアの上下寸法より小形に形成し、該プレーンハンドルをドアの中間位置に配置し、プレーンハンドルの小形化を図り、既設のドアと同様な外観を維持するようにしている。
請求項４の発明は、一対のプレーンハンドルの上下寸法をドアの上下寸法と略同一に形成し、該プレーンハンドルをドアの側端部の上下全域に配置し、プレーンハンドルの操作位置を上下方向に広範囲に確保し、操作者の身長の大小や操作位置の高低を許容し、子供や大人、車椅子使用の身障者等の利用に応じられるようにしている。
【００１２】
請求項５の発明は、ドアの側端部に端部支柱を垂直に配置し、該端部支柱の両側面に沿って一または複数の蝶番を配置し、該一または複数の蝶番に一対のプレーンハンドルの基端部を回動可能に連結し、プレーンハンドルの取付け条件に応じて一または複数の蝶番による取り付けを選択可能にしている。
請求項６の発明は、端部支柱の両側の上下全域に亘ってビード状の枢軸部を突設するとともに、一対のプレーンハンドルの基端部の内側の上下全域に亘って、前記枢軸部と係合可能な凹溝状の一対の枢支溝を形成し、端部支柱の両側に枢軸部と枢支溝による単一の蝶番を形成して、製作費の低減を図るとともに、複数の蝶番による部品点数の増加と作動の不具合、および故障の発生を防止し、またドアの反り等の変形を防止して、ドアの所期の使用状態を長期に亘って確保し得るようにしている。
請求項７の発明は、端部支柱と一対のプレーンハンドルはアルミニウムの押し出しまたは引き出し成形品とし、前記枢軸部と枢支溝を端部支柱またはプレーンハンドルと一体成形し、一対のプレーンハンドルと枢軸部と枢支溝を合理的に製作し得るようにしている。
【００１３】
請求項８の発明は、一対のプレーンハンドルの外面をドアの内外面と同一面上に配置し、ドアの外観を簡潔かつコンパクトにし、またレバーハンドルのドアの内外面からの突出を防止してレバーハンドルとの接触を回避し、安全な使用と室内スペースや通路スペースの有効利用を図れるようにしている。
請求項９の発明は、係止板を三角形に形成し、該係止板を対応するプレーンハンドルの回動変位に応じて、その斜辺部を前記係合爪に係合可能に配置し、プレーンハンドルの回動変位に応じて係合爪ないしラッチを揺動または回動し、ドアの施解錠を確実に実行し得るようにしている。
請求項１０の発明は、二つの係止板の上下位置を相違して配置し、各係止板を各係合爪に係合可能に配置し、各係止板による係合爪との係合およびラッチの揺動または回動を確実に実行し得るようにしている。
【００１４】
請求項１１の発明は、プレーンハンドルの何れか一の内側回動変位時、前記ラッチをドアの内側に後退して解錠可能にし、プレーンハンドルの操作によって前記ラッチを解錠し、ドアの開放を図るようにしている。
請求項１２の発明は、スィングラッチの解錠時、その係合端面をドアの側端面と同一面または同一面内に後退して開扉可能にし、ドアの開扉を確実かつ安全に行なえるようにしている。
請求項１３の発明は、ドアの閉扉時、前記ラッチをドアの外側に突出して施錠可能にして、閉扉時の施錠を確実に実行し得るようにしている。
【００１５】
請求項１４の発明は、ドアの閉扉時、スィングラッチの係合端部をその対向位置に設けた受座に突入可能にし、閉扉時の施錠を確実に実行し得るようにしている。
請求項１５の発明は、スィングラッチの係合端部にマグネットを設けるとともに、前記受座の内側に吸着板を設け、前記ドアの閉扉時、前記マグネットを前記吸着板に向かって吸引移動可能にし、ドアの閉扉時における施錠を確実に保持するようにしている。
請求項１６の発明は、プレーンハンドルの何れか一を内側へ回動変位時、該プレーンハンドルの外側に臨ませてドアの内側に凹状スペースを形成し、該凹状スペースに臨むドアの端部に手指を掛け止め可能にして、スィングラッチの解錠時にドアの開扉操作を容易に行なえるとともに、開扉後のドアの閉扉操作を容易に行なえるようにしている。
【発明の効果】
【００１６】
請求項１の発明は、基端部を互いに異方向へ回動可能に付勢し、他端部をドアの端部に係合可能に設けた平板状の一対のプレーンハンドルと、該プレーンハンドルの内側に揺動または回動可能に設けたスィングラッチと、該ラッチと同動可能に設けた一対の係合爪と、前記プレーンハンドルの内側に前記係合爪と係合可能に設けた係止板と、を備え、前記一のプレーンハンドルの回動変位を介して前記一の係止板を係合爪に係合し、前記スィングラッチを揺動または回動してドアから出没可能に設けたから、従来のレバーハンドルに比べて構成を容易かつコンパクトにして安価な製作を実現できるとともに、一のプレーンハンドルの回動操作によって、ドアの施解錠を簡便に行なうことができる。
【００１７】
請求項２の発明は、一対のプレーンハンドルをドアの側端部に配置したから、既設のドアと同様な外観を維持することができる。
請求項３の発明は、一対のプレーンハンドルの上下寸法をドアの上下寸法より小形に形成し、該プレーンハンドルをドアの中間位置に配置したから、プレーンハンドルの小形化を図れ、既設のドアと同様な外観を維持することができる。
請求項４の発明は、一対のプレーンハンドルの上下寸法をドアの上下寸法と略同一に形成し、該プレーンハンドルをドアの側端部の上下全域に配置したから、プレーンハンドルの操作位置を上下方向に広範囲に確保し、操作者の身長の大小や操作位置の高低を許容し、子供や大人、車椅子使用の身障者等の利用に応じられる効果がある。
【００１８】
請求項５の発明は、ドアの側端部に端部支柱を垂直に配置し、該端部支柱の両側面に沿って一または複数の蝶番を配置し、該一または複数の蝶番に一対のプレーンハンドルの基端部を回動可能に連結したから、プレーンハンドルの取付け条件に応じて一または複数の蝶番による取り付けを選択することができる。
請求項６の発明は、端部支柱の両側の上下全域に亘ってビード状の枢軸部を突設するとともに、一対のプレーンハンドルの基端部の内側の上下全域に亘って、前記枢軸部と係合可能な凹溝状の一対の枢支溝を形成したから、端部支柱の両側に枢軸部と枢支溝による単一の蝶番を形成して製作費の低減を図るとともに、複数の蝶番による部品点数の増加と作動の不具合、および故障の発生を防止し、またドアの反り等の変形を防止して、ドアの所期の使用状態を長期に亘って確保することができる。
請求項７の発明は、端部支柱と一対のプレーンハンドルはアルミニウムの押し出しまたは引き出し成形品とし、前記枢軸部と枢支溝を端部支柱またはプレーンハンドルと一体成形したから、一対のプレーンハンドルと枢軸部と枢支溝を合理的に製作することができる
【００１９】
請求項８の発明は、一対のプレーンハンドルの外面をドアの内外面と同一面上に配置したから、ドアの外観を簡潔かつコンパクトにし、またレバーハンドルのドアの内外面からの突出を防止してレバーハンドルとの接触を回避し、安全な使用と室内スペースや通路スペースの有効利用を図ることができる。
請求項９の発明は、係止板を三角形に形成し、該係止板を対応するプレーンハンドルの回動変位に応じて、その斜辺部を前記係合爪に係合可能に配置したから、プレーンハンドルの回動変位に応じて係合爪ないしラッチを揺動または回動し、ドアの施解錠を確実に実行することができる。
請求項１０の発明は、二つの係止板の上下位置を相違して配置し、各係止板を各係合爪に係合可能に配置したから、各係止板による係合爪との係合およびラッチの揺動または回動を確実に実行することができる。
【００２０】
請求項１１の発明は、プレーンハンドルの何れか一の内側回動変位時、前記ラッチをドアの内側に後退して解錠可能にしたから、プレーンハンドルの操作によって前記ラッチを解錠し、ドアの開放を行なうことができる。
請求項１２の発明は、スィングラッチの解錠時、その係合端面をドアの側端面と同一面または同一面内に後退して開扉可能にしたから、ドアの開扉を確実かつ安全に行なうことができる。
請求項１３の発明は、ドアの閉扉時、前記ラッチをドアの外側に突出して施錠可能にしたから、閉扉時の施錠を確実に実行することができる。
【００２１】
請求項１４の発明は、ドアの閉扉時、スィングラッチの係合端部をその対向位置に設けた受座に突入可能にしたから、閉扉時の施錠を確実に実行することができる。
請求項１５の発明は、スィングラッチの係合端部にマグネットを設けるとともに、前記受座の内側に吸着板を設け、前記ドアの閉扉時、前記マグネットを前記吸着板に向かって吸引移動可能にしたから、ドアの閉扉時における施錠を確実に保持することができる。
請求項１６の発明は、プレーンハンドルの何れか一を内側へ回動変位時、該プレーンハンドルの外側に臨ませてドアの内側に凹状スペースを形成し、該凹状スペースに臨むドアの端部に手指を掛け止め可能にしたから、スィングラッチの解錠時にドアの開扉操作を容易に行なえるとともに、開扉後のドアの閉扉操作を容易に行なうことができる。
【図面の簡単な説明】
【００２２】
【図１】本発明をパーティーションの錠前に適用した閉扉時の正面図である。
【図２】本発明の要部であるハンドルユニットの施錠時の状況を示す斜視図である。
【図３】本発明の要部であるハンドルユニットの解錠時の状況を示す斜視図である。
【図４】本発明の要部であるハンドルユニットを分解して示す斜視図である。
【００２３】
【図５】本発明の要部であるハンドルユニットの施錠時の内部状況を示す斜視図で、一方のプレーンハンドルを省略して示している。
【図６】本発明の要部であるハンドルユニットの解錠時の内部状況を示す斜視図で、一方のプレーンハンドルを省略して示している。
【図７】本発明の要部であるハンドルユニットの施錠時の内部状況を示す斜視図で、他方のプレーンハンドルを省略して示している。
【図８】本発明の要部であるハンドルユニットの解錠時の内部状況を示す斜視図で、他方のプレーンハンドルを省略して示している。
【００２４】
【図９】本発明の要部であるハンドルユニットの閉扉時における施錠状況を拡大して示す平面図である。
【図１０】本発明の要部であるハンドルユニットにおいて、一方のプレーンハンドルを押圧操作して解錠し、開扉する押し開き式ドアの状況を拡大して示す平面図である
【図１１】本発明の要部であるハンドルユニットにおいて、他方のプレーンハンドルを押圧操作して解錠し、開扉する押し開き式ドアの状況を拡大して示す平面図である
【００２５】
【図１２】本発明の要部であるハンドルユニットにおいて、解錠後の開扉状況を拡大して示す平面図で、（ａ）は一方のプレーンハンドルを押圧して解錠状態を維持し、手指をストップガイドの一端部に掛けて引き寄せ、開扉する引き開き式ドアの開扉状況を示し、（ｂ）はプレーンハンドルの側端部を押圧して解錠状態を維持しながら押し開く、押し開き式ドアの開扉状況を示している。
【図１３】本発明の閉扉時における施錠状況を示す断面図である。
【図１４】本発明の開扉または閉扉直前の状況を示す断面図である。
【００２６】
【図１５】本発明の第２の実施形態における閉扉時の状況を示す正面図で、正面側のプレーンハンドルとドアパネルを省略している。
【図１６】前記第２の実施形態に適用したドアの閉扉時の側端部の状況を拡大して示す断面図である。
【図１７】前記第２の実施形態に適用したドアの側端部の要部を示す横断面図で、正面側のプレーンハンドルとドアパネルを省略している。
【図１８】図１５の要部を拡大して示す正面図である。
【００２７】
【図１９】図１５のＡ−Ａ線に沿うプレーンハンドルの拡大断面図である。
【図２０】図１５のＢ−Ｂ線に沿うプレーンハンドルの拡大断面図である。
【図２１】前記他の実施形態において、プレーンハンドルの解錠後、開扉直前の状況を示す断面図である。
【図２２】図１６のＣ−Ｃ線に沿う拡大断面図で、プレーンハンドルの施錠時の状況を示している。
【図２３】図１６のＣ−Ｃ線に沿う拡大断面図で、プレーンハンドルの解錠時の状況を示している。
【００２８】
【図２４】前記第２の実施形態に適用した錠ケースを示し、（ａ）はその正面図、（ｂ）は（ａ）のＤ−Ｄ線に沿う断面図、（ｃ）は（ａ）の右側面図、（ｄ）は（ｃ）のＥ−Ｅ線に沿う断面図である。
【図２５】前記第２の実施形態に適用した錠カバ−を示し、（ａ）はその正面図、（ｂ）は（ａ）の背面図、（ｃ）は（ｂ）のＦ−Ｆ線に沿う断面図、（ｄ）は（ｂ）のＧ−Ｇ線に沿う断面図である。
【００２９】
【図２６】前記第２の実施形態に適用したスィングラッチを示し、（ａ）はその正面図、（ｂ）は（ａ）の左側面図、（ｃ）は（ａ）の平面図である。
【図２７】前記第２の実施形態に適用した一方の係止板を示し、（ａ）はその正面図、（ｂ）は（ａ）の左側面図である。
【図２８】前記第２の実施形態に適用した他方の係止板を示し、（ａ）はその正面図、（ｂ）は（ａ）の右側面図である。
【００３０】
【図２９】本発明の第３の実施形態における閉扉時の状況を示す正面図で、正面側のプレーンハンドルとドアパネルを省略している。
【図３０】図２９のＨ−Ｈ線に沿う拡大断面図で、プレーンハンドルの施錠時の状況を示している。
【図３１】図２９のＨ−Ｈ線に沿う拡大断面図で、プレーンハンドルの解錠時の状況を示している。
【発明を実施するための形態】
【００３１】
以下、本発明をパーティーションの間仕切り錠に適用した図示の実施形態について説明すると、図１乃至図１４において１，２は床面に立設したアルミ角管製の縦枠で、一方の縦枠１に蝶番３を介してドア４が内外方向へ開閉可能に取付けられている。
前記ドア４は所定厚の金属製または木製の矩形板で構成され、吊元側と反対側の側端部中高位置に矩形の取付穴５が形成され、該取付穴５にハンドルユニット６が配置されている。
【００３２】
前記ハンドルユニット６は図２，３のようにドア４と同厚の略箱形に形成され、これはドア４の側端部に取付ける亜鉛ダイカスト製のフロント板７と、該フロント板７の両側部に基端部を回動可能に取付けた、レバーハンドルであるアルミダイカスト製のプレーンハンドル８，９と、前記取付穴５の奥部に取付けられて、前記プレーンハンドル８，９の他端部の回動角度を規制する亜鉛ダイカストまたは合成樹脂製のストップガイド１０とで構成され、これらでハンドルユニット６の周囲を区画し、その内部を上下に開口している。
【００３３】
前記フロント板７は縦長矩形に形成され、その上下端部に各一対のビス孔１１，１２が形成され、該ビス孔１１，１２にビス(図示略)を挿入し、これをドア４の側端部にねじ込んで取付けられている。
前記フロント板７の裏面の上下端部に、ハンドル取付ブロック１３，１４が突出成形され、それらの左右両側に図５，６のような凹状のサイドスペース１５，１６を形成している。
前記サイドスペース１５，１６の下端部または上端部に段部１７，１８が形成され、該段部１７，１８の中央にビス孔１９，２０が形成されている。
【００３４】
前記ハンドル取付けブロック１３，１４の間に箱形の錠ボックス２１が突設され、該錠ボックス２１は、フロント板７の裏面に突出成形した錠ケース２２と、該ケース２２の開口部を閉塞する縦長矩形の錠カバ−２３とで構成されている。
図中、２４は錠カバ−２３に形成された複数のビス孔で、該ビス孔２４にビス(図示略)を挿入し、これを錠ケース２２の開口側端面に形成したビス孔２５にねじ込んで、錠カバ−２３を取付けている。
【００３５】
前記錠ケース２２の内部に、ラッチである亜鉛ダイカスト製のスィングラッチ２６が前後方向に揺動または回動可能に収容され、該スィングラッチ２６は逆Ｌ字形状のスィングボデー２７と、略Ｕ字形のフォーク２８とから構成され、これらを前記ボデー２７の上端部に嵌合しピン２９を介して一体的に連結している。
すなわち、前記スィングボデー２７の上部は略コ字形断面に形成され、その内部に前記フォーク２８の中間部を挿入し、これらをピン２９を介して連結し、その下部の係合部２７ａを前方に突出し、これをフロント板７の中高位置に形成した矩形のガイド孔３０に出没可能に配置している。
【００３６】
前記係合部２７ａの端部に矩形の係合端面３１が形成され、該端面３１に円形の凹孔３２が形成され、該凹孔３２に円筒形のマグネット３３が収容されている。
前記マグネット３３は端面にビス孔３４が形成され、該ビス孔３４にビス３５を挿入して凹孔３２の奥部にねじ込み、マグネット３３の表面を前記係合端面３１と同一面上に取付けている。
【００３７】
前記フォーク２８は上下一対の係合爪３６，３７を備え、これらを錠ケース２２の内側面に形成した開口部３８，３９から突出し、その突出部を後述する係止板に係合可能に配置している。
前記スィングボデー２７の前面上部とフォーク２８の下端部に、互いに連通するバネ収容孔４０，４１が形成され、これらにスィングバネ４２を収容している。前記スィングバネ４２の外側端部はフロント板７の裏面の中高位置に圧縮されて着座し、その弾性によってスィングラッチ２６をドア４の内側方向へ揺動または回動可能に付勢して、スィングラッチ２６の解錠状態を維持するとともに、係合爪３６，３７を開口部３８，３９の外側へ突出している。
【００３８】
前記スィングボデー２７の下端部に凹状湾曲部４３が形成され、また錠ケース２２の内側下端部に凸状湾曲部４４が形成され、これらはスィングラッチ２６の解錠時、図１４のように係合してスィングボデー２７の下端部を支持し、その係合端面３１をフロント板７の前面と同一面上に位置付け、その係合状態をスィングバネ４２の弾性によって保持し、ドア４を開放可能にしている。
【００３９】
一方、ドア４の閉扉時には図１３のように、スィングボデー２７の係合端面３１が縦枠２に設けた後述する受座と対向位置に移動し、マグネット３３が受座の後述する吸着板に吸引移動して突入し、マグネット３３が吸着板に吸着してスィングラッチ２６の施錠状態を保持し、ドア４の閉鎖状態を保持可能にしている。
【００４０】
前記プレーンハンドル８，９はハンドルユニット６と同形の矩形板で構成され、これらは実質的に同一に構成されている。すなわち、前記プレーンハンドル８，９の基端部内面に上下一対の蝶番４５，４６が突出成形され、該蝶番４５，４６は略三角柱状に形成され、これを前記サイドスペース１５，１６に配置し、その下端部または上端部を段部１７，１８に収容している。
前記蝶番４５，４６に貫通孔４７，４８が形成され、該貫通孔４７，４８にビス４９，５０を挿入し、これを前記ビス孔１９，２０にねじ込んでプレーンハンドル８，９を内外方向へ回動可能に取付けている。
【００４１】
前記プレーンハンドル８，９の他端部は若干肉厚に補強され、該補強部８ａ，９ａの外側面に係合段部５１，５２が形成され、該係合段部５１，５２をストップガイド１０の内側端部に係合可能に形成して、プレーンハンドル８，９の回動角度を規制している。
図中、５３，５４はストップガイド１０の内面の凹状曲面１０ａの上下端部に形成したビス孔で、これらにビス５５を挿入し、これを取付穴５の内壁にねじ込んでストップガイド１０を取付けている。この場合、取付穴５の内壁またはドア４の側端部を前記凹状曲面１０ａと同形に形成すれば、前記ストップガイド１０を省略し得る。
【００４２】
前記プレーンハンドル８，９の内面の中央部に略球台形状のバネ受５６，５７が突設され、これらの間にハンドルスプリング５８が介挿され、該スプリング５８の弾性を介してプレーンハンドル８，９を外側へ回動可能に付勢している。
前記プレーンハンドル８，９内面のバネ受５６，５７より基端部側に、係止板５９，６０が突設され、それらはプレーンハンドル８，９の内面に上下位置を若干相違して配置されていて、プレーンハンドル８側の係止板５９を、プレーンハンドル９側の係止板６０よりも若干下方に配置している。
【００４３】
前記係止板５９，６０は同形の略二等辺三角形に形成され、その頂部５９ａ，６０ａを平坦面に形成していて、それらはプレーンハンドル８，９の回動変位に応じて、係合爪３６，３７に対する係合変位を加減し、スィングラッチ２６の揺動ないし回動角度を形成可能にしている。
すなわち、前記係止板５９は係合爪３７の下面に係合可能に配置され、係止板６０は係合爪３７の下面に係合可能に配置されている。
【００４４】
このうち、係止板５９は図５のように、常時は上側の斜辺の頂部５９ａ側が係合爪３７の下面に係合可能に位置し、プレーンハンドル８の押圧操作時には図６のように、前記斜辺が内側へ移動し、その裾部が係合爪３７の下面に係合してフォーク２８を押し上げ、スィングラッチ２６を図１３上反時計方向へ揺動ないし回動させて、係合端面３１をガイド孔３０の内側へ引き入れ、受座から後退させて解錠可能にしている。この後、スィングラッチ２６の解錠状態はスィングバネ４２の弾性によって保持され、ドア４が開扉可能になる。
【００４５】
そして、ドア４の開扉後、これを閉回動して係合端面３１を受座の対向位置に移動すると、マグネット３３が後述する吸着板に吸引移動して受座に突入し、マグネット３３が吸着板に吸着してスィングラッチ２６の施錠状態を保持し、ドア４の閉扉状態を保持可能にしている。
したがって、プレーンハンドル８の押圧操作はスィングラッチ２６の解錠時に解除され、その解除に伴って係止板５９の上側斜辺が係合爪３７から後退し、係合爪３７の下面が係止板５９の上側斜辺に沿って下動し、スィングラッチ２６を図１４上時計方向へ揺動ないし回動させて、係合端面３１をガイド孔３０の外側へ突出させ、ドア４の閉扉後の施錠を可能にしている。
【００４６】
一方、前記係止板６０は図７のように、常時は上側の斜辺の頂部５９ａ側が係合爪３６の下面に係合可能に位置し、プレーンハンドル９の押圧操作時には図８のように、前記斜辺が内側へ移動し、その裾部が係合爪３６の下面に係合してフォーク２８を押し上げ、スィングラッチ２６を図１３上反時計方向へ揺動ないし回動させて、係合端面３１をガイド孔３０の内側へ引き入れ、受座から後退させて解錠可能にしている。
この後、スィングラッチ２６の解錠状態はスィングバネ４２の弾性によって保持され、ドア４が開扉可能になる。
【００４７】
そして、ドア４の開扉後、これを閉回動して係合端面３１を受座の対向位置に移動すると、マグネット３３が後述する吸着板に吸引移動して受座に突入し、マグネット３３が吸着板に吸着してスィングラッチ２６の施錠状態を保持し、ドア４の閉扉状態を保持可能にしている。
したがって、プレーンハンドル９の押圧操作はスィングラッチ２６の解錠時に解除され、その解除に伴って係止板６０の上側斜辺が係合爪３６から後退し、係合爪３６の下面が係止板６０の上側斜辺に沿って下動し、スィングラッチ２６を図１４上時計方向へ揺動ないし回動させて、係合端面３１をガイド孔３０の外側へ突出させ、ドア４の閉扉後の施錠を可能にしている。
【００４８】
前記ドア４の側端部と相対する縦枠２の中高位置に取付孔６１が設けられ、該取付孔６１に亜鉛ダイカストまたは合成樹脂製の有底箱形の前述の受座６２が収容され、その開口部の外側に張出したフランジ６３を、縦枠２の表面と同一面上に配置してビス止めしている。
前記受座６２の開口側に底面板６４が斜め下向きに配置され、該底面板６４上に強磁性材である鉄板製の吸着板６５がビス６６を介して取付けられている。
【００４９】
この他、図中、６７，６８はプレーンハンドル８または９の押圧操作時、つまり解錠操作時に取付穴５内に形成された三角柱状の凹状スペースで、その幅広側のスペースに手指６９を挿入可能にしている。
すなわち、プレーンハンドル８または９を押圧して解錠操作後、ドア４を開扉する場合、引き開き式のドア４の場合は、図１２（ａ）のようにプレーンハンドル８を押圧し、取付穴５内に形成された凹状スペース６７に手指６９を挿入し、その先端部をストップガイド１０の端部に掛けてドア４を引き寄せ、開扉回動するようにしている。
【００５０】
一方、押し開き式のドア４の場合は、図１２（ｂ）のように例えば一方のプレーンハンドル８を押圧し、スィングラッチ２６を解錠後、ドア４をそのまま同方向へ押圧して押し回し、開扉回動するようにしている。図中、９０は縦枠１，２を立設した床面である。
なお、ドア４の開扉後、プレーンハンドル８から手指６９を離すと、プレーンハンドル８がハンドルスプリング５８によって原位置に復帰回動し、プレーンハンドル９と平行に位置する。
そこで、開扉後のドア４を閉鎖する場合は、引き開け式および押し開き式のドア４は何れも図１２（ｂ）のように、例えば一方のプレーンハンドル８を押圧し、スィングラッチ２６を解錠して、係合端面２７ａをスィングボデー２７の内部に引き戻し、ドア４をそのまま同方向へ押圧して押し回し、閉扉回動する。
【００５１】
このように構成した本発明のドア錠は、ドア４の側端部にドア４と略同厚の箱形のハンドルユニット６を取付け、その内外面をドア４の内面または外面と同一面上に配置している。
したがって、本発明のプレーンハンドル８，９は平板状に形成され、従来のレバーハンドルやプッシュプルハンドルに比べ構成が簡単で容易に製作でき、しかもドア４の内外面に突出しないから、ハンドルないしドア周面が簡潔かつコンパクトで体裁が良く、ドア４の内外面に接する通路や部屋スペースを損なわず、また突出したドアハンドルに人が接触して怪我する心配がない。
【００５２】
前記ハンドルユニット６は、ドア４の側端部に取付けるフロント板７と、ドア４の内外面に回動可能に取付けるプレーンハンドル８，９と、該ハンドル８，９の回動角度を規制するストップガイド１０と、ドア４の施解錠を機能するスィングラッチ２６と、プレーンハンドル８，９の押圧操作に連動してスィングラッチ２６を施解錠制御する係止板５９，６０と、スィングラッチ２６の施解錠を形成する受座６２と、で構成され、これらをアルミまたは亜鉛ダイカスト製または合成樹脂製として容易かつ均質に製作している。
【００５３】
次に、前記実施形態のドア錠を製作する場合は、先ずハンドルユニット６の主要部を組み立てる。すなわち、フロント板７の裏面の錠ケース２２にスィングラッチ２６を組み込み、フロント板７の両側にプレーンハンドル８，９の基端部を回動可能に取付ける。
先ず、錠ケース２２にスィングラッチ２６を組み込む場合は、予めスィングボデー２７にピン２９を介してフォーク２８を連結し、また係合端面３１の凹孔３２にマグネット３３を挿入し、これにビス３５をねじ込んで取付ける。
【００５４】
そして、前記フォーク２８の係合爪３６，３７を錠ケース２２の開口部３８，３９に突出して配置し、バネ収容孔４０，４１にスィングバネ４２を挿入し、その一端をフロント板７の裏面に着座し、係合部２７ａをガイド孔３０に出没可能に配置後、錠ケース２２の開口部に錠カバ−２３をビス止めして閉塞する。
【００５５】
次に、フロント板７の両側にプレーンハンドル８，９の基端部を回動可能に取付ける場合は、プレーンハンドル８，９と一体の蝶番４５，４６をハンドル取付ブロック１３，１４の左右のサイドスペース１５，１６に収容し、貫通孔４７，４８にビス４９，５０を挿入し、これをビス孔１９，２０にねじ込む。
この後、バネ受５６，５７の間にハンドルスプリング５８を介挿し、プレーンハンドル８，９を対向配置して、このアッセンブリ状態を保持する。この状況は図２のようである
【００５６】
一方、ドア４の側端部に取付穴５を形成し、その奥壁にストップガイド１０をビス止め後、前記プレーンハンドル８，９のアッセンブリを取付穴５に収容し、該プレーンハンドル８，９の他側端部の係合段部５１，５２を、ストップガイド１０の凹状曲面１０ａの内側の両端部に係合し、フロント板７の前方からビス（図示略）をビス孔１１，１２に挿入し、これをドア４の側端部にねじ込んでフロント板７を取付ける。
【００５７】
また、縦枠２の中高位置に取付孔６１を形成し、該取付孔６１に予め吸着板６５をビス止めした受座６２を収容し、そのフランジ６３を縦枠２にビス止めする。
このようにしてドア４の側端部にハンドルユニット６を取付け、縦枠２に受座６２を取付け、受座６２とガイド孔３０にスィングラッチ２６の係合部２７ａを進退可能に取付けて、一連の組み立てを終了する。
【００５８】
こうしてドア４に取付けたハンドルユニット６は、プレーンハンドル８，９の一方の係止板５９が、常時は上側の斜辺の頂部側が図５のように係合爪３７の下面に係合可能に位置し、また他方の係止板６０の上側の斜辺の頂部側が図７のように係合爪３６の下面に係合可能に位置している。
このときのプレーンハンドル８，９は互いに平行に配置され、それらの表面は図９のようにドア４の内外面と同一面上に位置して、ドア４の閉扉時におけるスィングラッチ２６の施錠時に相当している。
【００５９】
すなわち、前記ドア４の閉扉時は図１３のように、スィングボデー２７の係合端面３１が縦枠２に設けた受座６２の対向位置に移動し、マグネット３３が受座６２の吸着板６５に吸引移動して受座６２に突入し、マグネット３３が吸着板６２に吸着してスィングラッチ２６の施錠状態を保持し、ドア４の閉鎖状態を保持している。
この場合、吸着板６２の吸着力が弱いときは、吸着板６２をマグネット３３と異極性のマグネットで構成し、前記吸着力を増強する。
【００６０】
このような状況のドア４を開扉する場合は、先ずスィングラッチ２６を解錠する。
前記スィングラッチ２６を解錠する場合は、前記プレーンハンドル８または９をハンドルスプリング５８の弾性に抗して内側へ押圧操作することで行なわれる。
このようにすると、係止板５９または６０の斜辺が係合爪３７または３６の内側へ移動し、その裾部が係合爪３７または３６の下面に係合してフォ−ク２８を押し上げ、スィングラッチ２６を図１３上反時計方向へ揺動ないし回動させてマグネット３３を吸着板６５から引き離し、係合端面３１をガイド孔３０の内側へ引き入れ、受座６２から後退させて解錠する。
【００６１】
前記スィングラッチ２６の解錠状態は、この後スィングバネ４２の弾性によって保持され、ドア４が開扉可能になる。この状況は図１４のようである。
すなわち、スィングラッチ２６の解錠後、ドア４を開扉する際、引き開き式のドア４の場合は、図１２（ａ）のようにプレーンハンドル８を押圧し、取付穴５内に形成された凹状スペース６７に手指６９を挿入し、前記解錠状態を一時的に保持しながら手指６９の先端部をストップガイド１０の端部に掛けてドア４を引き寄せ、開扉回動する。
【００６２】
こうしてドア４を開扉し、その開扉操作を終了後、プレーンハンドル８から手を離すと、前記ハンドル８がハンドルスプリング５８に押し戻されて原位置に復帰し、プレーンハンドル８，９が互いに平行な状態を回復する。
【００６３】
一方、押し開き式のドア４の場合は、図１２（ｂ）のように例えば一方のプレーンハンドル８を押圧し、スィングクラッチ２６を解錠後、ドア４をそのまま同方向へ押圧して押し回し、開扉回動する。
【００６４】
こうして開扉したドア４を閉鎖する場合は、プレーンハンドル８，９が互いに平行な状態を維持しており、引き開け式および押し開き式のドア４に対し、何れも図１２（ｂ）のように、例えば一方のプレーンハンドル８を押圧し、スィングラッチ２６を解錠して係合端面２７ａを、スィングボデー２７の内部に引き戻し、ドア４をそのまま同方向へ押圧して押し回し、閉扉回動する。
そして、ドア４が閉扉位置に押し戻され、スィングボデー２７の係合端面３１が縦枠２に設けた受座６２の対向位置に移動すると、マグネット３３が受座６２の吸着板６５に吸引移動して受座６２内に突入し、マグネット３３が吸着板６２に吸着してスィングラッチ２６の施錠状態を保持し、ドア４の閉鎖状態を保持する。この状況は図１３のようである
【００６５】
このようにこの実施形態は、ドア４の側端部に一対の平板状のプレーンハンドル８，９を回動可能に設け、常時はそれらの外面をドア４の内外面と同一面上に配置するとともに、プレーンハンドル８，９の内側に一対の係合爪３６，３７を備えたスィングラッチ２６を揺動または回動可能に設け、また各ハンドル８，９の内側に係止板５９，６０を突設し、プレーンハンドル８，９の何れか一を押圧して回動し、対応する一の係止板５９，６０を同動させて一の係合爪３６，３７に係合させてスィングラッチ２６を揺動または回動して解錠する一方、ドア４の閉扉時にスィングラッチ２６の係合端面３１を受座６２内に突入させて施錠し、その際マグネット３３を吸着板６５に吸着させて、閉扉時の施錠状態を保持するようにしたものである。
【００６６】
図１５乃至図３１は本発明の他の実施形態を示し、前述の実施形態の構成と対応する部分に同一の符号を用いている。このうち図１５乃至図２８は本発明の第２の実施形態を示し、この実施形態はドア４の側端部の一部にプレーンハンドル８，９を取付ける代わりに、ドア４の側端部の上下全域にプレーンハンドル８，９を取付け、プレーンハンドル８，９の操作範囲を拡大して、例えば子供や大人、車椅子使用の身障者によるドア４の開閉操作に応じられるようにしている。
【００６７】
すなわち、この実施形態はドア４の側端部にフロント板７の代わりに、アルミニウム管製の角柱状の端部支柱７２を垂直に配置し、該支柱７２の上下端部にアルミニウム板製の上下枠板７３，７４を配置し、該枠板７３，７４の一端側にプレーンハンドル８，９を配置し、前記枠板７３，７４の過半部にドア４を配置している。
そして、端部支柱７２の上下端部に上下枠板７３，７４の前端部をビス止めし、端部支柱７２の内側に錠ケース２２と錠カバー２３を配置し、これらの内側にスィングラッチ２６を揺動ないし回動可能に配置している。
また、端部支柱７２の内外側にプレーンハンドル８，９の基端部を回動可能に配置し、前記上下枠板７３，７４の内側にドア４の上下端部をビス止めしている。
【００６８】
前記プレーンハンドル８，９の前後方向の長さは、ドア４の同方向の長さの約１／７に形成され、その横断面形状は扁平な略三角形に形成され、それらの内側の側端部の上下位置に内側蝶番７５の可動側のヒンジプレート７５ａが取付けられ、その枢動側７５ｂの上下位置に外側蝶番７６の枢動側７６ａが配置され、可動側のヒンジプレート７６ｂを端部支柱７２の周面にビス止めしている。
そして、これら枢動側７５ｂ，７６ａに枢軸７７を挿入し、該枢軸７７を中心にヒンジプレ−ト７５ａ，７６ｂを介してプレーンハンドル８，９を内外方向へ回動可能に取付けている。
【００６９】
前記端部支柱７２の中高位置の内部に錠ボックス２１を取付け、その錠ケース２２のフランジ２２ａを端部支柱７２の後面にビス止めし、その開口部に錠カバー２３をビス止めしている。
前記錠ボックス２１と錠カバー２３内の対向位置に凹孔７８，７９を形成し、この凹孔７８，７９にスィングラッチ２６の両側部に設けた凸軸８０を回動可能に挿入している。
前記スィングラッチ２６は凸軸８０を介して錠カバー２３内に回動可能に支持され、スィングバネ４２の弾性によって係合部２７ａを後方へ回動可能に付勢し、常時は係合端面３１をガイド孔３０の開口縁と同一面上に位置付け、受座６２内の吸着板６５から離反させている。
【００７０】
前記プレーンハンドル８，９の内面の対向位置にプレートパネル８１，８２をビス止めし、該パネル８１，８２に突設した係止板５９，６０を係合爪３６，３７に係合可能に配置している。
図中、８３はプレートパネル８１，８２を固定したビス、８４，８５はプレーンハンドル８，９の内面の対向位置に形成した凹孔状のバネ受で、それらにハンドルスプリング５８の両端を着座させている。
この実施形態ではドア４の端面に凹状曲面４ａを直接形成して、前述のストップガイド１０を省略し部品点数を低減するとともに、その凹状曲面４ａの両端にプレーンハンドル８，９の係合段部５１，５２を係合させている。
【００７１】
このように構成した第２の実施形態のドア錠は、ドア４の高さと略同長のプレーンハンドル８，９と端部支柱７２を用意し、端部支柱７２の内外側面の上下位置に内外側蝶番７５，７６を上下に取付け、その可動側のヒンジプレート７５ａ，７６ｂにプレーンハンドル８，９の基端部を取付け、該プレーンハンドル８，９の基端部を回動可能に取付ける。
【００７２】
前記端部支柱７２の中高位置に錠ボックス２１を取付け、その内部にスィングラッチ２６を上下方向に回動可能に取付け、その係合部２７ａをガイド孔３０から出没可能に取付け、係合爪３６，３７の回動域に係止板５９，６０を配置する。
一方、端部支柱７２と相対する縦枠２の中高位置に受座６２を取付け、その内部の吸着板６５に係合部２７ａに設けたマグネット３３を吸着可能に配置する。
このように実施形態のドア錠の構成は、ドア４の側端部に上下に長尺のプレーンハンドル８，９を回動可能に取付ける以外は、前述の実施形態と実質的に同一である。
【００７３】
この実施形態のドア錠の施解錠および開閉扉時の操作は、前述の実施形態と実質的に同一である。
すなわち、プレーンハンドル８，９は常時はハンドルスプリング５８の弾性によって外側へ回動し、その他側端部の係合段部５１，５２がドア４の凹状曲面４ａの両端部に係合して、プレーンハンドル８，９の外面がドア４の内外面と同一面上に位置している。この状況は図２２のようである。
【００７４】
このようなドア４の閉扉時には図２１および図２２のように、スィングボデー２７の係合端面３１が縦枠２に設けた受座６２と対向位置に移動し、マグネット３３が受座６２の吸着板６５に吸引移動して受座６２に突入し、マグネット３３が吸着板６５に吸着してスィングラッチ２６の施錠状態を保持し、ドア４の閉鎖状態を保持している。
【００７５】
一方、ドア４を開放する場合は、例えば一方のプレーンハンドル９をハンドルスプリング５８に抗して内側へ押圧し、これをプレーンハンドル８の内面に重合する。
このようにすると、プレーンハンドル９と一体の係止板６０が内側へ移動し、その裾部が係合爪３６の下面に係合して係合爪３６を押し上げる。
このため、スィングラッチ２６が凸軸８０を中心に図２１上反時計方向へ回動し、マグネット３３が吸着板６５から引き離されて、係合部２７ａがガイド孔３０内に引き戻され、係合端面３１がガイド孔３０の口縁部内に移動して解錠し、ドア４が開扉可能になる。
【００７６】
そこで、ドア４の開扉は、ドア４が引き開き式の場合は、前述の実施形態の図１２（ａ）のように、プレーンハンドル９を押圧し、スィングラッチ２６を解錠して、取付穴５内に形成された凹状スペース６８に手指６９を挿入し、その先端部をドア４の凹状曲面４ａの端部に掛けてドア４を引き寄せ、開扉回動する。
一方、押し開き式のドア４の場合は、前述の実施形態の図１２（ｂ）のように例えば一方のプレーンハンドル８を押圧し、スィングクラッチ２６を解錠後、ドア４をそのまま同方向へ押圧して押し回し、開扉回動する。
その際、プレーンハンドル８，９はドア４の側端部の上下方向の全域に位置しているから、その押圧位置を広域に得られ、操作者の身長の大小や操作位置の高低に拘わらず、子供や大人、車椅子利用の身障者等によるドア４の開閉にも応じられる。
【００７７】
こうして開扉したドア４を閉鎖する場合は、プレーンハンドル８，９が互いに平行な状態を維持しており、引き開き式および押し開き式のドア４は前述の実施形態と同様に、例えば一方のプレーンハンドル８を押圧し、スィングラッチ２６を解錠して係合端面２７ａをスィングボデー２７の内部に引き戻し、ドア４をそのまま同方向へ押圧して押し回し、閉扉回動する。
そして、ドア４が閉扉位置に押し戻され、スィングボデー２７の係合端面３１が縦枠２に設けた受座６２の対向位置に移動すると、マグネット３３が受座６２の吸着板６５に吸引移動して受座６２内に突入し、マグネット３３が吸着板６２に吸着してスィングラッチ２６の施錠状態を保持し、かつドア４の閉鎖状態を保持する。
【００７８】
図２９乃至図３１は本発明の第３の実施形態を示し、この実施形態は前述した第２の実施形態の応用形態に係る。この実施形態はドア４の側端部の上下全域に亘って、プレーンハンドル８，９を内外方向へ回動可能に支持する際、前述の実施形態における複数の内外側蝶番７５，７６と、それらのヒンジプレート７５ａ，７６ｂ、およびそれらの枢軸７７を廃して、部品点数の低減とその組み立ての手間の軽減を図っている。
【００７９】
すなわち、この実施形態は端部支柱７２とプレーンハンドル８，９をアルミニウムの押し出しまたは引き出し成形品で構成し、このうち端部支柱７２の端部側周面の上下全域に亘って、ビード状の一対の枢軸部８６，８７を内外方向へ突出成形している。
また、プレーンハンドル８，９の基端部の内側に上下全域に亘って、前記枢軸部８６，８７と係合可能な凹溝状の一対の枢支溝８８，８９を成形し、枢軸部８６，８７と対応する枢支溝８８，８９とで、それぞれ単一の蝶番を構成可能にしている。
図中、９０はプレーンハンドル８，９の内部に形成した空隙部でアルミ材の節減とプレ−ンハンドル８，９の軽量化を図っている。
【００８０】
このように第３の実施形態は、端部支柱７２とプレーンハンドル８，９をアルミニウムの押し出しまたは引き出し成形品で構成し、それらの成形時に端部支柱７２の端部側周面の上下全域に亘って、ビード状の一対の枢軸部８６，８７を内外方向へ突設し、またプレーンハンドル８，９の基端部の内側に上下全域に亘って、前記枢軸部８６，８７と係合可能な凹孔状の一対の枢支溝８８，８９を成形している。
したがって、前述の実施形態における複数の内外側蝶番７５，７６と、それらのヒンジプレート７５ａ，７６ｂ、およびそれらの枢軸７７を廃して、部品点数の低減と製作費の低減を図れる。
【００８１】
また、前記端部支柱７２にプレーンハンドル８，９を組み立てる場合は、プレーンハンドル８，９を保持し、その枢支溝８８，８９を前記枢軸部８６，８７に係合ないし嵌合すれば良いから、その組み立て作業を簡便に行なえ製作費の低減を促せる。
しかも、プレーンハンドル８，９の基端部は、単一の蝶番を構成する同軸上の枢軸部８６，８７と、枢支溝８８，８９によって回動可能に連結しているから、複数の内外側蝶番と、それらのヒンジプレート、およびそれらの枢軸を用いて連結する場合に比べて円滑に回動し、またドア４の反り等の変形を防止して、故障の発生を低減する。
なお、第３の実施形態のその余の作用効果は第２の実施形態と実質的に同様である。
【産業上の利用可能性】
【００８２】
このように本発明のドア錠は、レバーハンドルの構成を簡潔かつコンパクト化して容易かつ安価に製作できるとともに、レバーハンドルの突出をなくしてレバーハンドルないしドアの体裁を簡潔にし、また室内スペースや通路スペースを有効かつ安全に使用でき、しかもドアハンドルの操作位置を任意かつ広範囲に得られて操作者の身長の大小や操作位置の高低を許容し、子供や大人、車椅子使用の身障者等の利用に応じられるから、パーティ−ション等の錠前に好適である。
【符号の説明】
【００８３】
４                ドア
８，９            プレーンハンドル
２６              ラッチ（スィングラッチ）
２７ａ            係合部
３１              係合端部
３３              マグネット
【００８４】
３６，３７        係合爪
５９，６０        係止板
６２              受座
６５              吸着板
６７，６８        凹状スペース
６９              手指
７２              端部支柱
【００８５】
７５              内側蝶番
７６              外側蝶番
８６，８７        枢軸部
８８，８９        枢支溝
【図１】
2017071906.tif 000003
【図２】
2017071906.tif 000004
【図３】
2017071906.tif 000005
【図４】
2017071906.tif 000006
【図５】
2017071906.tif 000007
【図６】
2017071906.tif 000008
【図７】
2017071906.tif 000009
【図８】
2017071906.tif 000010
【図９】
2017071906.tif 000011
【図１０】
2017071906.tif 000012
【図１１】
2017071906.tif 000013
【図１２】
2017071906.tif 000014
【図１３】
2017071906.tif 000015
【図１４】
2017071906.tif 000016
【図１５】
2017071906.tif 000017
【図１６】
2017071906.tif 000018
【図１７】
2017071906.tif 000019
【図１８】
2017071906.tif 000020
【図１９】
2017071906.tif 000021
【図２０】
2017071906.tif 000022
【図２１】
2017071906.tif 000023
【図２２】
2017071906.tif 000024
【図２３】
2017071906.tif 000025
【図２４】
2017071906.tif 000026
【図２５】
2017071906.tif 000027
【図２６】
2017071906.tif 000028
【図２７】
2017071906.tif 000029
【図２８】
2017071906.tif 000030
【図２９】
2017071906.tif 000031
【図３０】
2017071906.tif 000032
【図３１】
2017071906.tif 000033
【手続補正書】
【提出日】平成29年1月17日(2017.1.17)
【手続補正１】
【補正対象書類名】明細書
【補正対象項目名】００１０
【補正方法】変更
【補正の内容】
【００１０】
請求項１の発明は、一端を回動可能に支持したドアと、該ドアの内外部に配置したレバーハンドルと、該レバーハンドルの操作に連係してドアから出没可能に設けたラッチと、を備えたドア錠において、基端部を互いに異方向へ回動可能に付勢し、他端部をドアの端部に係合可能に設けた平板状の一対のレバーハンドルと、該レバーハンドルの内側に揺動または回動可能に設けたラッチと、該ラッチと同動可能に設けた一対の係合爪と、前記レバーハンドルの内側に前記係合爪と係合可能に設けた係止板と、を備え、一の前記レバーハンドルの回動変位を介して一の前記係止板を係合爪に係合し、前記ラッチを揺動または回動してドアから出没可能に設け、従来のレバーハンドルに比べて構成を容易かつコンパクトにして安価な製作を実現するとともに、一のレバーハンドルの回動操作によって、ドアの施解錠を簡便に行なえるようにしている。
【手続補正２】
【補正対象書類名】明細書
【補正対象項目名】００１１
【補正方法】変更
【補正の内容】
【００１１】
請求項２の発明は、一対のレバーハンドルをドアの側端部に配置し、既設のドアと同様な外観を維持するようにしている。
請求項３の発明は、一対のレバーハンドルの上下寸法をドアの上下寸法より小形に形成し、該レバーハンドルをドアの中間位置に配置し、レバーハンドルの小形化を図り、既設のドアと同様な外観を維持するようにしている。
請求項４の発明は、一対のレバーハンドルの上下寸法をドアの上下寸法と略同一に形成し、該レバーハンドルをドアの側端部の上下全域に配置し、レバーハンドルの操作位置を上下方向に広範囲に確保し、操作者の身長の大小や操作位置の高低を許容し、子供や大人、車椅子使用の身障者等の利用に応じられるようにしている。
【手続補正３】
【補正対象書類名】明細書
【補正対象項目名】００１２
【補正方法】変更
【補正の内容】
【００１２】
請求項５の発明は、ドアの側端部に端部支柱を垂直に配置し、該端部支柱の両側面に沿って一または複数の蝶番を配置し、該一または複数の蝶番に一対のレバーハンドルの基端部を回動可能に連結し、レバーハンドルの取付け条件に応じて一または複数の蝶番による取り付けを選択可能にしている。
請求項６の発明は、端部支柱の両側の上下全域に亘ってビード状の枢軸部を突設するとともに、一対のレバーハンドルの基端部の内側の上下全域に亘って、前記枢軸部と係合可能な凹溝状の一対の枢支溝を形成し、端部支柱の両側に枢軸部と枢支溝による単一の蝶番を形成して、製作費の低減を図るとともに、複数の蝶番による部品点数の増加と作動の不具合、および故障の発生を防止し、またドアの反り等の変形を防止して、ドアの所期の使用状態を長期に亘って確保し得るようにしている。
請求項７の発明は、端部支柱と一対のレバーハンドルはアルミニウムの押し出しまたは引き出し成形品とし、前記枢軸部と枢支溝を端部支柱またはレバーハンドルと一体成形し、一対のレバーハンドルと枢軸部と枢支溝を合理的に製作し得るようにしている。
【手続補正４】
【補正対象書類名】明細書
【補正対象項目名】００１３
【補正方法】変更
【補正の内容】
【００１３】
請求項８の発明は、一対のレバーハンドルの外面をドアの内外面と同一面上に配置し、ドアの外観を簡潔かつコンパクトにし、またレバーハンドルのドアの内外面からの突出を防止してレバーハンドルとの接触を回避し、安全な使用と室内スペースや通路スペースの有効利用を図れるようにしている。
請求項９の発明は、係止板を三角形に形成し、該係止板に対応するレバーハンドルの回動変位に応じて、その斜辺部を前記係合爪に係合可能に配置し、レバーハンドルの回動変位に応じて係合爪ないしラッチを揺動または回動し、ドアの施解錠を確実に実行し得るようにしている。
請求項１０の発明は、二つの係止板の上下位置を相違して配置し、各係止板を各係合爪に係合可能に配置し、各係止板による係合爪との係合およびラッチの揺動または回動を確実に実行し得るようにしている。
【手続補正５】
【補正対象書類名】明細書
【補正対象項目名】００１４
【補正方法】変更
【補正の内容】
【００１４】
請求項１１の発明は、レバーハンドルの何れか一の内側回動変位時、前記ラッチをドアの内側に後退して解錠可能にし、レバーハンドルの操作によって前記ラッチを解錠し、ドアの開放を図るようにしている。
請求項１２の発明は、ラッチの解錠時、その係合端面をドアの側端面と同一面または同一面内に後退して開扉可能にし、ドアの開扉を確実かつ安全に行なえるようにしている。
請求項１３の発明は、ドアの閉扉時、前記ラッチをドアの外側に突出して施錠可能にして、閉扉時の施錠を確実に実行し得るようにしている。
【手続補正６】
【補正対象書類名】明細書
【補正対象項目名】００１５
【補正方法】変更
【補正の内容】
【００１５】
請求項１４の発明は、ドアの閉扉時、ラッチの係合端部をその対向位置に設けた受座に突入可能にし、閉扉時の施錠を確実に実行し得るようにしている。
請求項１５の発明は、ラッチの係合端部にマグネットを設けるとともに、前記受座の内側に吸着板を設け、前記ドアの閉扉時、前記マグネットを前記吸着板に向かって吸引移動可能にし、ドアの閉扉時における施錠を確実に保持するようにしている。
請求項１６の発明は、レバーハンドルの何れか一を内側へ回動変位時、該レバーハンドルの外側に臨ませてドアの内側に凹状スペースを形成し、該凹状スペースに臨むドアの端部に手指を掛け止め可能にして、ラッチの解錠時にドアの開扉操作を容易に行なえるとともに、開扉後のドアの閉扉操作を容易に行なえるようにしている。
【手続補正７】
【補正対象書類名】明細書
【補正対象項目名】００１６
【補正方法】変更
【補正の内容】
【００１６】
請求項１の発明は、基端部を互いに異方向へ回動可能に付勢し、他端部をドアの端部に係合可能に設けた平板状の一対のレバーハンドルと、該レバーハンドルの内側に揺動または回動可能に設けたラッチと、該ラッチと同動可能に設けた一対の係合爪と、前記レバーハンドルの内側に前記係合爪と係合可能に設けた係止板と、を備え、一の前記レバーハンドルの回動変位を介して一の前記係止板を係合爪に係合し、前記ラッチを揺動または回動してドアから出没可能に設けたから、従来のレバーハンドルに比べて構成を容易かつコンパクトにして安価な製作を実現できるとともに、一のプレーンハンドルの回動操作によって、ドアの施解錠を簡便に行なうことができる。
【手続補正８】
【補正対象書類名】明細書
【補正対象項目名】００１７
【補正方法】変更
【補正の内容】
【００１７】
請求項２の発明は、一対のレバーハンドルをドアの側端部に配置したから、既設のドアと同様な外観を維持することができる。
請求項３の発明は、一対のレバーハンドルの上下寸法をドアの上下寸法より小形に形成し、該レバーハンドルをドアの中間位置に配置したから、レバーハンドルの小形化を図れ、既設のドアと同様な外観を維持することができる。
請求項４の発明は、一対のレバーハンドルの上下寸法をドアの上下寸法と略同一に形成し、該レバーハンドルをドアの側端部の上下全域に配置したから、レバーハンドルの操作位置を上下方向に広範囲に確保し、操作者の身長の大小や操作位置の高低を許容し、子供や大人、車椅子使用の身障者等の利用に応じられる効果がある。
【手続補正９】
【補正対象書類名】明細書
【補正対象項目名】００１８
【補正方法】変更
【補正の内容】
【００１８】
請求項５の発明は、ドアの側端部に端部支柱を垂直に配置し、該端部支柱の両側面に沿って一または複数の蝶番を配置し、該一または複数の蝶番に一対のレバーハンドルの基端部を回動可能に連結したから、レバーハンドルの取付け条件に応じて一または複数の蝶番による取り付けを選択することができる。
請求項６の発明は、端部支柱の両側の上下全域に亘ってビード状の枢軸部を突設するとともに、一対のレバーハンドルの基端部の内側の上下全域に亘って、前記枢軸部と係合可能な凹溝状の一対の枢支溝を形成したから、端部支柱の両側に枢軸部と枢支溝による単一の蝶番を形成して製作費の低減を図るとともに、複数の蝶番による部品点数の増加と作動の不具合、および故障の発生を防止し、またドアの反り等の変形を防止して、ドアの所期の使用状態を長期に亘って確保することができる。
請求項７の発明は、端部支柱と一対のレバーハンドルはアルミニウムの押し出しまたは引き出し成形品とし、前記枢軸部と枢支溝を端部支柱またはレバーハンドルと一体成形したから、一対のレバーハンドルと枢軸部と枢支溝を合理的に製作することができる。
【手続補正１０】
【補正対象書類名】明細書
【補正対象項目名】００１９
【補正方法】変更
【補正の内容】
【００１９】
請求項８の発明は、一対のレバーハンドルの外面をドアの内外面と同一面上に配置したから、ドアの外観を簡潔かつコンパクトにし、またレバーハンドルのドアの内外面からの突出を防止してレバーハンドルとの接触を回避し、安全な使用と室内スペースや通路スペースの有効利用を図ることができる。
請求項９の発明は、係止板を三角形に形成し、該係止板に対応するレバーハンドルの回動変位に応じて、その斜辺部を前記係合爪に係合可能に配置したから、レバーハンドルの回動変位に応じて係合爪ないしラッチを揺動または回動し、ドアの施解錠を確実に実行することができる。
請求項１０の発明は、二つの係止板の上下位置を相違して配置し、各係止板を各係合爪に係合可能に配置したから、各係止板による係合爪との係合およびラッチの揺動または回動を確実に実行することができる。
【手続補正１１】
【補正対象書類名】明細書
【補正対象項目名】００２０
【補正方法】変更
【補正の内容】
【００２０】
請求項１１の発明は、レバーハンドルの何れか一の内側回動変位時、前記ラッチをドアの内側に後退して解錠可能にしたから、レバーハンドルの操作によって前記ラッチを解錠し、ドアの開放を行なうことができる。
請求項１２の発明は、ラッチの解錠時、その係合端面をドアの側端面と同一面または同一面内に後退して開扉可能にしたから、ドアの開扉を確実かつ安全に行なうことができる
請求項１３の発明は、ドアの閉扉時、前記ラッチをドアの外側に突出して施錠可能にしたから、閉扉時の施錠を確実に実行することができる。
【手続補正１２】
【補正対象書類名】明細書
【補正対象項目名】００２１
【補正方法】変更
【補正の内容】
【００２１】
請求項１４の発明は、ドアの閉扉時、ラッチの係合端部をその対向位置に設けた受座に突入可能にしたから、閉扉時の施錠を確実に実行することができる。
請求項１５の発明は、ラッチの係合端部にマグネットを設けるとともに、前記受座の内側に吸着板を設け、前記ドアの閉扉時、前記マグネットを前記吸着板に向かって吸引移動可能にしたから、ドアの閉扉時における施錠を確実に保持することができる。
請求項１６の発明は、レバーハンドルの何れか一を内側へ回動変位時、該レバーハンドルの外側に臨ませてドアの内側に凹状スペースを形成し、該凹状スペースに臨むドアの端部に手指を掛け止め可能にしたから、ラッチの解錠時にドアの開扉操作を容易に行なえるとともに、開扉後のドアの閉扉操作を容易に行なうことができる。
【手続補正１３】
【補正対象書類名】特許請求の範囲
【補正対象項目名】全文
【補正方法】変更
【補正の内容】
【特許請求の範囲】
【請求項１】
一端を回動可能に支持したドアと、該ドアの内外部に配置したレバーハンドルと、該レバーハンドルの操作に連係してドアから出没可能に設けたラッチと、を備えたドア錠において、基端部を互いに異方向へ回動可能に付勢し、他端部をドアの端部に係合可能に設けた平板状の一対のレバーハンドルと、該レバーハンドルの内側に揺動または回動可能に設けたラッチと、該ラッチと同動可能に設けた一対の係合爪と、前記レバーハンドルの内側に前記係合爪と係合可能に設けた係止板と、を備え、一の前記レバーハンドルの回動変位を介して一の前記係止板を係合爪に係合し、前記ラッチを揺動または回動してドアから出没可能に設けたことを特徴とするドア錠。
【請求項２】
前記一対のレバーハンドルをドアの側端部に配置した請求項１記載のドア錠。
【請求項３】
前記一対のレバーハンドルの上下寸法をドアの上下寸法より小形に形成し、該レバーハンドルをドアの中間位置に配置した請求項２記載のドア錠。
【請求項４】
前記一対のレバーハンドルの上下寸法をドアの上下寸法と略同一に形成し、該レバーハンドルをドアの側端部の上下全域に配置した請求項２記載のドア錠。
【請求項５】
前記ドアの側端部に端部支柱を垂直に配置し、該端部支柱の両側面に沿って一または複数の蝶番を配置し、該一または複数の蝶番に一対のレバーハンドルの基端部を回動可能に連結した請求項４記載のドア錠。
【請求項６】
前記端部支柱の両側の上下全域に亘ってビード状の枢軸部を突設するとともに、一対のレバーハンドルの基端部の内側の上下全域に亘って、前記枢軸部と係合可能な凹溝状の一対の枢支溝を形成した請求項５記載のドア錠。
【請求項７】
前記端部支柱と一対のレバーハンドルはアルミニウムの押し出しまたは引き出し成形品とし、前記枢軸部と枢支溝を端部支柱またはレバーハンドルと一体成形した請求項６記載のドア錠。
【請求項８】
前記一対のレバーハンドルの外面をドアの内外面と同一面上に配置した請求項１記載のドア錠。
【請求項９】
前記係止板を三角形に形成し、該係止板に対応するレバーハンドルの回動変位に応じて、その斜辺部を前記係合爪に係合可能に配置した請求項１記載のドア錠。
【請求項１０】
二つの前記係止板の上下位置を相違して配置し、各係止板を各係合爪に係合可能に配置した請求項９記載のドア錠。
【請求項１１】
前記レバーハンドルの何れか一の内側回動変位時、前記ラッチをドアの内側に後退して解錠可能にした請求項１記載のドア錠。
【請求項１２】
前記ラッチの解錠時、その係合端面をドアの側端面と同一面または同一面内に後退し、開扉可能にした請求項１１記載のドア錠。
【請求項１３】
前記ドアの閉扉時、前記ラッチをドアの外側に突出して施錠可能にした請求項１記載のドア錠。
【請求項１４】
前記ドアの閉扉時、ラッチの係合端部をその対向位置に設けた受座に突入可能にした請求項１３記載のドア錠。
【請求項１５】
前記ラッチの係合端部にマグネットを設けるとともに、前記受座の内側に吸着板を設け、前記ドアの閉扉時、前記マグネットを前記吸着板に向かって吸引移動可能にした請求項１４記載のドア錠。
【請求項１６】
前記レバーハンドルの何れか一を内側へ回動変位時、該レバーハンドルの外側に臨ませてドアの内側に凹状スペ−スを形成し、該凹状スペースに臨むドアの端部に手指を掛け止め可能にした請求項１記載のドア錠。